(57)【要約】      （修正有）【課題】導電性クリップによる電気接続をする際に、導電性クリップを握る操作の繰り返しによる握力の低下により作業時間を要したり接続端子を傷付けたりすることがない導電性クリップを提供する。【解決手段】バネが設けられた把持部１４により挟持部１６を開閉できるように構成された導電性クリップ１において、テーパー形状に形成された把持部１４の表面に突起部１８を形成するととともに、把持部に嵌合されて回動することにより突起部を介して把持部の間隔を狭くしたり広くしたりして挟持部を開閉できる断面が楕円形空間部を有する中空筒体１９を備える。導電性クリップで蓄電池間の電気接続をするに当たり、握力を要さず、中空筒体の回動により挟持部の開閉が出来るので、接続操作が簡単になる。【選択図】図１
0003220101.tif 000002
【実用新案登録請求の範囲】
【請求項１】
バネが設けられた把持部により挟持部を開閉できるように構成された導電性クリップにおいて、テーパー形状に形成された把持部の表面に突起部を形成し、この把持部に嵌合されて回動することにより突起部を介して把持部の間隔を狭くしたり広くしたりして挟持部を開閉できる断面形状が楕円形空間部を有する中空筒体を備える導電性クリップ。
【考案の詳細な説明】
【技術分野】
【０００１】
本考案は、鉛蓄電池を電槽化成する際に鉛蓄電池間の電気接続等に用いられる電気接続具において、バネが設けられた把持部により挟持部を開閉できるように構成された導電性クリップに関するものである。
【背景技術】
【０００２】
電槽内に正極板と負極板を、セパレータを介して交互に積層してなる極板群を収納し、電槽蓋を施し電解液を注液して成る鉛蓄電池では、正・負極板は、まず、未化成極板として製造され、その後、化成処理されることにより化成極板となる。この化成方法としては、専用の化成槽を用いて化成極板を作製するタンク化成と、未化成極板を組立てて極板群を作製し、この極板群を電槽に収納して、電槽内に電解液を注液して通電を行う電槽化成がある。しかしながら、タンク化成では専用の化成槽を用いて化成を行う工程が必要で電槽化成に比べ製造工程が多くなるため、近年では、構造的に電槽化成が困難な鉛蓄電池を除き、化成方法として電槽化成による方法が多く採用されている。この電槽化成時には、電源との接続や複数の鉛蓄電池を直列又は並列接続するために、リード線の一端又は両端に、バネが設けられた把持部により挟持部を開閉できるように構成された導電性クリップを接続して、把持部で鉛蓄電池の端子を挟み電気接続して充放電電流を流すことが行われている。
【０００３】
この際に用いられる導電性クリップとしては、特許文献１に記載されるような一対のクリップ片からなるワニ口クリップなどがある。
【先行技術文献】
【特許文献】
【０００４】
【特許文献１】実開平５−５５４６７号公報
【考案の概要】
【考案が解決しようとする課題】
【０００５】
導電性クリップによる蓄電池の端子間の電気接続は、その取付け・取外しが容易で、多数の処理を行う時は有効な接続方法であるが、通電電流が大きくなるに従って、バネの力が強くなり、人手による接続作業を多数繰り返す場合、手の握力が弱り接続作業時間が長くなるとか、鉛蓄電池の端子を傷付けたりすることがあるなどの問題があった。
【課題を解決するための手段】
【０００６】
本考案は、これらの課題を解決したもので、バネが設けられた把持部により挟持部を開閉できるように構成された導電性クリップにおいて、テーパー形状に形成された把持部の表面に突起部を形成し、この把持部に嵌合され、回動することにより突起部を介して把持部の間隔を狭くしたり広くしたりして挟持部を開閉できる断面形状が楕円形空間部を有する中空筒体を備えることを特徴とする導電性クリップである。
【０００７】
このように、本考案の導電性クリップは、その挟持部を開閉するための中空筒体を備えるので、導電性クリップの挟持部を開閉するのに、把持部をその都度手で握って開き、握りを緩めて閉じるのではなく、中空筒体を回動することでテーパー形状に形成されている把持部の間隔を狭くしたり広くしたりして、挟持部を開閉することができ、握力を要さずに蓄電池間等の接続作業ができるので、接続作業を多数繰り返し行っても接続作業時間が長くなることもなく、また鉛蓄電池の端子も傷付けることもなく、その接続操作を簡単に行うことができる。
【考案の効果】
【０００８】
本考案によれば、手の握力を要さず導電性クリップの挟持部を開閉できるので、接続作業時間が握力の衰えにより長くなることはなく、また端子を傷付ける恐れもなくなり、接続操作を簡単に行うことができる等の効果を奏するものである。
【図面の簡単な説明】
【０００９】
【図１】本考案の第１の実施形態の説明図であり、（イ）と（ロ）は挟持部が閉じている時の説明図、（ハ）と（ニ）は挟持部が大きく開いている時の説明図。
【図２】本考案の第２の実施形態の説明図。
【考案を実施するための形態】
【００１０】
図面に基づき、本考案の実施形態を説明する。図１は、本考案の第１の実施形態を説明するための説明図である。図１（イ）に示すように導電性クリップ１は金属または合金からできており、図示の通り折り曲げ加工された一対の金属製のクリップ片１１、１１の一方のクリップ片１１に他方のクリップ片１１が枢着された枢着部１２において互いに回動自在にされ、さらに、一対のクリップ片１１、１１間にバネ１３が設けられてテーパー状に形成された把持部１４と、一方のクリップ片１１を他方のクリップ片１１に形成された孔内を通した交差部１５を介して互いに当接して閉じている挟持部１６と、リード線２を接続するためのボルト１７を備えている。ここまでは従来の導電性クリップと同じであるが、本考案によれば、テーパー状の把持部１４のバネ１３が設けられた幅の広い部分の一対のクリップ片１１、１１のそれぞれにボルトを設けてその頭部を突起部１８として形成し、さらに、突起部に当接することで把持部１４に嵌合されて把持部１４を覆い、内面が突起部１８に当接する内径が広い部分と狭い部分を有する断面楕円形空間部を有する中空筒体１９を備えるものである。図１において、把持部１４の一部やバネ１３、突起部１８など点線で示される部分は、中空筒体１９によって覆われた部分である。図１（ロ）はこの導電性クリップ１を挟持部１６側から見た図で、中空筒体１９は断面楕円形の空間部１９aを有し、その内面が突起部１８に当接している。なお、この状態において、中空筒体１９は突起部１８を押圧しているも、把持部１４の幅はそれほど狭められず、挟持部１６は大きく開くことはない。
【００１１】
図１（ハ）は中空筒体１９を９０度回動した状態を示す図で、テーパー状の把持部１４の突起部１８が形成された幅が広くなっていた部分が中空筒体１９により突起部１８を介して押圧されバネ１３が圧縮され、把持部１４の幅が大きく狭められ、その結果挟持部１６が大きく開いた状態を示したもので、このように中間筒体１９を回動して挟持部１６を開くことが出来るものである。なお、図１（ニ）は、この導電性クリップ１を挟持部１６側から見た図であり、中空筒体１９の空間部１９aの内面が突起部に当接して把持部１４を、突起部を介して押圧している。
【００１２】
この導電性クリップ１は、図１（イ）に示す挟持部１６が若干開いている略閉ざされた状態から中空筒体１９を右または左に回動し、図１（ハ）のように中空筒体１９を９０度回動することで、挟持部１６を大きく開き、これを接続すべき鉛蓄電池の端子に近づけ、挟持部１６内に端子を入れ、中空筒体１９を再び回動して挟持部１６の開きを狭め、鉛蓄電池の端子を挟持して接続することができる。
【００１３】
回動の方法としては、片手で導電性クリップ１の挟持部１６を摘みながら。他方の手で、中空筒体１９を回動して、挟持部１６を開放し、これに端子を入れた状態で、端子に挟持部１６の一側を係止しながら中空筒体１９を回動し、挟持部１６の開きを狭める事で端子を挟持することが出来る。そして、端子から導電性クリップ１を外す場合は、端子に挟持部１６の一側を係止しながら中空筒体１９を回動し挟持部１９を大きく開いて外す事ができる。
【００１４】
このように、中空筒体１９を回動することで導電性クリップ１の把持部１４を、突起部１８を介して押圧して把持部１４を狭めたり広げたりして挟持部１６を大きく開いたり開きを狭めたり出きるので、従来の如く握力を必要とせず、接続作業時間が長くなるとか、鉛蓄電池の端子を傷付けたりすることが無くなる。
【００１５】
なお、鉛蓄電池のように端子が鉛で形成されている場合等は、挟持部の一側を係止して中空筒体を回動した場合、バネの力が強い場合は、端子が傷つく恐れも考えられるので、図２に示す第２の実施形態のように、導電性クリップ１のリード線２が接続されるボルト１７がある部分に導電性クリップ１の長さ方向に直行する棒３を設け、これを片手で押さえながら中空筒体１９を回動するようにし、中空筒体１９を回動する際に端子を利用せず行えるようにしても良い。なお、図２は導電性クリップ１を挟持部とは反対側のリード線２を接続するボルト１７側から見た図で、図１と同じ符号は同じものを示す。なお、符号４はナットでボルト１７に螺合され棒３を固定している。
【００１６】
なお、突起部１８は、実施形態において、ボルトの例を示したが、これに限らず、丸頭を有するリベット等を用いたり、球状体を把持部表面に溶接する等して把持部１４表面から突出する部分を形成しても良い。
【００１７】
このように中空筒体の回動で挟持部を開閉し接続できるので、握力を要さず、接続作業を繰り返しても握力の弱りにより作業時間が長引くことはなく、接続操作を簡単に行え、また、端子を傷付けることもない。
【符号の説明】
【００１８】
１    導電性クリップ
１１  クリップ片
１４  把持部
１６  挟持部
１８  突起部
１９  中空筒体
１９a  空間部
【図１】
0003220101.tif 000003
【図２】
0003220101.tif 000004